(57)【要約】      （修正有）【課題】種々のピッチを有する複数のラベル片を一単位のラベルシートを仮着されたラベルシート連続体にラベル片抜けがあるラベルシートを飛ばして次のラベルシートに印字する印字制御方法を提供する。【解決手段】台紙上に種々のピッチを有するラベル片を仮着してなるラベルシート連続体にラベル片がないと検知された場合に、当該ラベルシートをスキップして、つぎに移送されるラベルシートに印字を行う、透過センサーにより所定の数のラベル片を検知したとき、ラベルシートのラベル片に印字を行うとともに、一枚でもラベル片を検出しないときには、ラベルシートに印字を行わず、つぎに移送されるラベルシートにラベル抜けが無いラベルシートを検出したとき印字を行うように、印字部を制御する。【選択図】図２
2005238750.tif 000002
【特許請求の範囲】
【請求項１】
帯状台紙上に略等間隔の間陵を設けて所定の順に仮着された種々のピッチを有する複数のラベル片を一組単位のラベルシートとして連続して仮着され、その一組単位のラベルシートごとに検出マークを有するラベルシート連続体の移送を検知するセンサーと、
前記ラベルシートに所定の印字を行う印字部と、
前記センサーからの検出信号に応じてこの印字部を制御する制御部と、を有するラベルプリンターの印字制御方法であって、
前記センサーは、前記ラベルシートの印字位置を特定するための前記検出マークを検知する反射センサーと、前記ラベルシートの前記ラベル片の間陵を検出して前記ラベル片の先端を検知するための透過センサーとからなり、
前記制御部は、前記透過センサーによって前記ラベルシートが有する所定数のラベル片を検出したときには、このラベルシートのラベル片に印字を行うとともに、
前記ラベルシートの中に所定数のラベル片を検出しないときには、該ラベルシートへの印字を行わず、次に移送されてくる所定数のラベル片を有するラベルシートを検出したときに、前記反射センサーによる前記検出マークの検出に基づく印字部への移送を行い印字するようにして、所望の組数のラベルシートに所定の印字をするように制御することを特徴とするラベルプリンターの印字制御方法。
【発明の詳細な説明】
【技術分野】
【０００１】
本発明はラベルプリンターの印字制御方法にかかるもので、とくに台紙上に所定の順に仮着された種々のピッチを有する複数のラベル片を一組単位のラベルシートとして連続して仮着されたラベルシート連続体への印字を行うラベルプリンターの印字制御方法に関するものである。
【背景技術】
【０００２】
従来のラベルプリンター１について図３ないし図４に基づき概説する。
図４は、ラベルプリンター１の概略側面図であって、ラベルプリンター１は、ラベルシート連続体２をロール状に巻回して保持しているラベル供給部３と、ラベル移送部４と、透過センサー８と、反射センサー９と、ラベル印字部５と、制御部１１と、を有する。
【０００３】
ラベルシート連続体２は、帯状の台紙（Ｄ）の表面に略等間隔の間隙（Ｇ）を設けて所定の順に種々のピッチを有する複数のラベル片、ここでは３枚のラベル片（Ｌａ、Ｌｂ、Ｌｃ）を一組単位のラベルシート（Ｌ）として連続して仮着するとともに、台紙（Ｄ）の底面（裏面）側に、前記ラベルシート（Ｌ）の一組単位ごとにピッチ検出用の検出マーク１０を形成した構成であって、ラベル供給部３にロール状にこれを保持してあるとともに、ラベル供給部３からラベル移送部４及びラベル印字部５方向にこれを帯状に繰り出す。なお、台紙（Ｄ）上の互いのラベル片間（ＬａとＬｂ、ＬｂとＬｃ、ＬｃとＬａ）間には、わずかなギャップ（Ｇ）を設けてある。
【０００４】
前記透過センサー８および前記反射センサー９は、前記ラベル移送部４において移送されてくるラベルシート連続体２を検知する。
【０００５】
前記透過型センサー８は、ギャップＧにおける台紙（Ｄ）部分の透過率と、台紙（Ｄ）およびラベル片（Ｌａ、Ｌｂ、Ｌｃ）を合わせた部分の透過率との相違からラベルシート連続体２のラベル片（Ｌａ、Ｌｂ、Ｌｃ）およびそのピッチを検知する。
前記反射型センサー９は、台紙（Ｄ）の裏面における検出マーク１０部分の反射率と、台紙（Ｄ）の裏面の反射率との相違からラベルシート（Ｌ）間のピッチを検知する。
したがって、検知信号を前記透過センサー８および前記反射センサー９が制御部１１に出力する。
ここで、前記台紙（Ｄ）上の前記検出マーク１０は、前記反射センサー９によって検出ができる色に着色されていればよく、特に黒が望ましい。
【０００６】
ラベル印字部５は、サーマルヘッド６およびプラテンローラー７を有し、この間にラベルシート連続体２を挟み、プラテンローラー７をモーターＭによる駆動制御によって所定ピッチで回転駆動するとともに、サーマルヘッド６に所定パターンの印字信号を供給し、所定印字内容の情報をラベルシート連続体２のラベル片（Ｌａ、Ｌｂ、Ｌｃ）に印字可能である。
【０００７】
図３は、ラベルプリンター１の制御回路ブロック図であって、ラベルプリンター１には、上記制御部１１（ＣＰＵ）と、ＲＯＭ１５およびＲＡＭ１６と、サーマルヘッド６の駆動回路１７と、移送制御回路１８と、透過センサー８および反射センサー９と、キーボード１４と、インターフェース回路１３と、を接続してある。
制御部１１は、インターフェース１３を介してホストコンピューター１２から各種信号を受信する。
【０００８】
こうした構成のラベルプリンター１の印字制御について以下説明する。
ラベルプリンター１は、ホストコンピューター１２からラベルシート（Ｌ）１組単位、ここではラベル片（Ｌａ、Ｌｂ、Ｌｃ）３枚分の印字情報をデータ受信し、その内容をデータ解析し、ラベル片（Ｌａ、Ｌｂ、Ｌｃ）上に所定のレイアウトで印字可能なように印字編集する。
【０００９】
ここで、帯状台紙（Ｄ）上に種々のピッチを有した複数のラベル片（Ｌａ、Ｌｂ、Ｌｃ）が略等間隔の間陵（Ｇ）をもって仮着された一組単位のラベルシート（Ｌ）として連続して仮着されたラベルシート連続体２への印字において、これまでのラベルプリンター１の印字制御方法は、前記透過センサー８か前記反射センサー９のどちらか一つのセンサーを用いた検出によって印字の基準位置を決定し、前記印字部５への所定量の移送を行って所望の組数のラベルシート（Ｌ）に所定の印字を行ってきた。
【００１０】
しかし、前記反射センサー９だけを用いてラベルシート連続体２の移送を検出した場合には、３枚のラベル片（Ｌａ、Ｌｂ、Ｌｃ）からなる該ラベルシート（Ｌ）が、前記検出マーク１０との関係で本来意図された位置とずれがあったときには、検出マーク１０の位置から印字基準位置を算出して印字をするために、ラベル片への印字は、ずれて印字される。
【００１１】
ここで用いる、かすとり（個々のラベル片外周部の不要部分）をされたラベルシート連続体２の生産工程は、ラベル片の型抜きのカットの後に外周縁のかすとり部分を取り除く工程となっており、かすとり部分を取り除くときにラベル片（Ｌａ、Ｌｂ、Ｌｃ）部分が所定の位置からずれたり、あるいはラベル片自体が剥ぎとられラベル抜けとなることがある。
【００１２】
特にラベルの移送方向のピッチ幅が小さくなればなるほど、あるいはラベル片への印字がラベル片ぎりぎりに印字されるレイアウトのときには、印字がラベル表面に印字されずに台紙に印字される等ラベル片への印字ズレによる不適正ラベルとなり、商品への貼付に適さない場合がある。
【００１３】
また、前記反射センサー９による検出では、ラベル片（Ｌａ、Ｌｂ、Ｌｃ）に抜けがあるかどうかの検出はできないため、前記ラベルシート（Ｌ）内のラベル抜け部分の台紙に印字することとなり、所望の組数のラベルシート（Ｌ）を印字できない場合がある。
【００１４】
また、前記透過センサー８だけを用いてラベルシート連続体２の移送を検出した場合には、ラベルプリンター１へのラベルシート連続体２のセットは、組単位であるラベルシート（Ｌ）の先頭ラベル片（Ｌａ）の先端である印字基準位置を印字部にあわせる必要があり、合わせ間違えると、ラベルシート（Ｌ）を構成するラベル片のピッチが同一ではなく不規則なピッチを有するため、ラベル片と対応印字データとがずれて印字される場合がある。
【００１５】
また、前記透過センサー８によりラベル抜けを検出しても、所望の組数のラベルシートを印字するには、特別な制御によって対応する必要があるか、あるいはラベルプリンター１の駆動を止めて、ラベルシート連続体２のセットをしなおし、不足部分のラベル片の再印字を行う必要があった。
【００１６】
ここで、ラベル抜けかどうかの検出は、前記透過センサー８によって、台紙（Ｄ）上のラベルシート連続体２のラベル片を検出後、ラベルシート連続体２の所定量（ここではラベル片間の間隙（Ｇ））の移送が行われても、次のラベル片を検出できなかったときに、ラベル抜けと検知する。
【００１７】
【特許文献１】特開平７−２５２０２１号公報
【発明の開示】
【発明が解決しようとする課題】
【００１８】
本発明は以上のような諸問題に鑑みなされたもので、台紙上に種々のピッチを有する複数のラベル片を一組単位のラベルシートとして連続して仮着したラベル連続体に印字をする場合に、ラベル片に抜けがあったときにも、そのラベル片抜けを含むラベルシートをスキップして、ラベル片が所定枚数揃ったラベルシートから確実に印字することができるため、所望の組数のラベルシートの印字ができるラベルプリンターの印字制御方法を提供することを課題とする。
【課題を解決するための手段】
【００１９】
すなわち本発明は、台紙上の一組単位のラベルシートを構成する種々のピッチを有する複数のラベル片の中に抜けを検出した場合に、ラベルシート単位でのスキップを行い所望のラベルシートを印字することができることに着目したもので、第一の発明は、帯状台紙上に略等間隔の間陵を設けて所定の順に仮着された種々のピッチを有する複数のラベル片を一組単位のラベルシートとして連続して仮着され、その一組単位のラベルシートごとに検出マークを有するラベルシート連続体の移送を検知するセンサーと、
前記ラベルシートに所定の印字を行う印字部と、
前記センサーからの検出信号に応じてこの印字部を制御する制御部と、を有するラベルプリンターの印字制御方法であって、
前記センサーは、前記ラベルシートの印字位置を特定するための前記検出マークを検知する反射センサーと、前記ラベルシートの前記ラベル片の間陵を検出して前記ラベル片の先端を検知するための透過センサーとからなり、
前記制御部は、前記透過センサーによって前記ラベルシートが有する所定数のラベル片を検出したときには、このラベルシートのラベル片に印字を行うとともに、
前記ラベルシートの中に所定数のラベル片を検出しないときには、該ラベルシートへの印字を行わず、次に移送されてくる所定数のラベル片を有するラベルシートを検出したときに、前記反射センサーによる前記検出マークの検出に基づく印字部への移送を行い印字するようにして、所望の組数のラベルシートに所定の印字をするように制御することを特徴とするラベルプリンターの印字制御方法。
【００２０】
本発明によるラベルプリンターにおいては、台紙上のラベル片がないと検知された場合には、このラベル片の部分の台紙を含むラベルシートには印字を行うことなく、つぎに移送されてくる組のラベルシートに所定の数のラベル片が揃っていることがセンサーの検出によって検知された場合には印字を行うようにしたので、ラベルプリンターの移送を停止して処理能率を低下させることなく、また所望の組数のラベルシートに所定の印字をすることができる信頼性のある印字および効率的な処理を可能である。
【発明の効果】
【００２１】
以上のように本発明によれば、台紙上に略等間隔の間隙を設けて所定の順に仮着した種々のピッチを有する複数のラベル片を一組単位とするラベルシートが連続して仮着されたラベルシート連続体が、台紙からラベル片抜けの状態で移送されてきても、これを検知して所定数のラベル片を有するラベルシートにだけ印字するようにしたため、所望の組数のラベルシート連続体の印字ができる。
【発明を実施するための最良の形態】
【００２２】
本発明は、ラベルプリンター４０へのラベルシート連続体２にラベル片（Ｌａ、Ｌｂ、Ｌｃ）抜けがあっても所望の組数のラベルシート（Ｌ）の印字ができるラベルプリンター４０の印字制御方法を実現した。
【実施例】
【００２３】
つぎに本発明の実施例によるラベルプリンター４０を図１乃至図２に基づき説明する。
ラベルプリンター４０のハードウェア構成は、従来のラベルプリンター１と事実上同一であるが、透過センサー８と反射センサー９の二つのセンサーからの検出信号に応じた印字部５への移送及びその印字制御が異なっている。
【００２４】
図１は、ラベルプリンター４０における透過センサー８及び反射センサー９の検出に基づくラベルシート連続体２の移送及び印字制御を説明するための図であって、
図１の（ａ）は、ラベルシート連続体２に印字を行うためのラベルプリンター４０の概略側面図であって、ラベルシート連続体２は、その印字部５におけるプラテンローラー７とサーマルヘッド６とに矜持され、移送方向に一定の速度で移送される。
図１の（ｂ）は、電源投入時におけるラベルシート連続体２を構成する一組単位のラベルシート（Ｌ）とラベル片（Ｌａ、Ｌｂ、Ｌｃ）との位置関係を示したものである。
図１の（ｃ−１）は、上記（ｂ）の種々のピッチを有するラベル片（Ｌａ、Ｌｂ、Ｌｃ）及びラベル片間の間隙（Ｇ）を有するラベルシート連続体２が一定の速度で前記透過センサー８部を通過するときの電圧の反応の状態を示したものであり、
（ｃ−２）は、上記（ｂ）のラベルシート連続体２の台紙（Ｄ）面に有する前記検出マーク１０とそれ以外の台紙（Ｄ）面が一定の速度で前記反射センサー９部を通過するときの電圧の反応状態を示したものである。
本発明の制御部２１では、前記透過センサー８と前記反射センサー９とからの検出に基づく検知信号を解析し、ラベルシート連続体（Ｌ）の移送及び印字制御を行う。
【００２５】
次に、（ｄ）において、台紙（Ｄ）裏面に有する検出マーク１０を前記反射センサー９が検出して、前記ラベルシート連続体２における一組単位のラベルシート（Ｌ）の先端と認識して、前記反射センサー９から印字部５への所定量（Ｘ）の移送後に、印字処理に入ることが認識されるが、それは、前記透過センサー９による該ラベルシート（Ｌ）に、所定数のラベル片（Ｌａ、Ｌｂ、Ｌｃ）が全て揃っていることが検出された場合での処理となる。
【００２６】
次に、（ｅ）において、ラベル片間（ＬａとＬｂ）の間隙（Ｇ）が、前記透過センサー８によって検出されるため、前記ラベル片Ｌｂの先端と検知し、前記透過センサー８と印字部５との所定量（Ｙ）の移送の後に印字するように印字部を制御する。
次に、（ｆ）では、前記透過センサー８による検出によって前記ラベル片Ｌｃの先端と検知し、ラベル片（Ｌｃ）先端部から印字部までの一定量（Ｙ）の移送の後に印字するように印字部５を制御する。
而して、制御部２１では、前記透過センサー８による該ラベルシート（Ｌ）に所定のラベル片（Ｌａ、Ｌｂ、Ｌｃ）が全て揃っていることが検出された場合に、前記反射センサー９による検出マーク１０の検出に基づく検知信号により、該ラベルシート（Ｌ）が印字部５まで移送されたときに所定の印字処理に入るように制御する。
【００２７】
次に、図２は本発明の実施例によるラベルプリンター４０の透過センサー８及び反射センサー９の検出に基づき１組単位のラベルシート（Ｌ）を構成するラベル片（Ｌａ、Ｌｂ、Ｌｃ）に、ラベル抜け（Ｌｃ）を有するラベルシート連続体２の移送及び印字制御を説明するための図である。
【００２８】
（ａ）の図は、ラベル片（Ｌｃ）が抜けたラベルシート連続体２を本発明のラベルプリンター４０に装填し、移送方向に移送するようにセットした図である。
【００２９】
（ｂ）の図は、ラベルシート連続体２を移送方向に移送したときに略等間隔で仮着されたラベル片間の間隙であるラベルギャップ（Ｇ）が、ある所定値、ここではラベルギャップ（Ｇ）を超えても続いていることを前記透過センサー８による検出反応によって検知したときにはラベル片抜けと検知し、台紙（Ｄ）には印字を行わず、更に、ラベル片抜けを有する該ラベルシート（Ｌ）にも印字を行わず、そのまま移送（スキップ）を行い、次に送られてくるラベルシート連続体２のラベルシート（Ｌ）に設けられた検出マーク１０を前記反射センサー９が検出するとともに、該ラベルシート（Ｌ）に前記透過センサー８によるラベル片（Ｌａ、Ｌｂ、Ｌｃ）抜けを検知しない場合には、印字部５まで、該ラベルシート（Ｌ）の印字基準位置を移送制御し、印字部５にて所定の印字を行うように制御したものである。
すなわち、該ラベルシート（Ｌ）の対応ラベル片（Ｌａ、Ｌｂ、Ｌｃ）の一枚でも抜けていることが前記透過センサー８による検出で検知されたときには、該ラベルシート（Ｌ）には印字を行わずそのまま移送を行い、つぎに送られてくるラベルシート（Ｌ）を構成するラベル片（Ｌａ、Ｌｂ、Ｌｃ）が全て揃っていることが検出されたときに、該ラベルシート（Ｌ）を印字部５まで移送し、所定の印字を行うように制御した。
【００３０】
（ｃ−１）の図は、ラベル片（Ｌｃ）抜けを有する前記（ｂ）のラベルシート連続体２が、前記透過センサー８を通過したときの検出信号の状態を表したものである。
また、（ｃ−２）の図は、ラベル片（Ｌｃ）抜けを有する前記（ｂ）のラベルシート連続体２に設けられた前記検出マーク１０に対して、前記反射センサー９の検出信号の状態を表したものである。
【００３１】
（ｄ）の図は、ラベル片（Ｌｃ）抜けのあった該ラベルシート（Ｌ）には、印字を行わず、スキップして、次に移送されてくるラベルシート（Ｌ）の先端を検知した状態の図である。
【００３２】
（ｅ）の図は、ラベル片（Ｌｂ）の先端を前記透過センサー８が検知した状態の図であり、
【００３３】
（ｆ）の図は、ラベル片（Ｌｃ）の先端を前記透過センサー８が検知した状態の図である。
【００３４】
このように、前記透過センサー８によってラベル片の先端を、あるいはラベル片の抜けを検出する。
【００３５】
また、前記反射センサー９によって複数のラベル片（Ｌａ、Ｌｂ、Ｌｃ）を一組単位とするラベルシート（Ｌ）の先端を検知する。
個々のラベル片（Ｌａ、Ｌｂ、Ｌｃ）の印字の基準位置は、前記間隙（Ｇ）の前記透過センサー８による検出によって決定しているため、ラベルが多少ずれて貼付されたラベル片へも所定の位置に印字ができる。
【００３６】
また、前記透過センサー８によってラベル片（Ｌａ、Ｌｂ、Ｌｃ）抜けを事前に検知したときに、ラベル片（Ｌａ、Ｌｂ、Ｌｃ）抜けを含んだラベルシート（Ｌ）をスキップして、前記透過センサー８によって所定のラベル片が全て、ここでは３枚のラベル片が仮着されたラベルシートの先頭ラベル片（Ｌａ）から印字を行う。
【００３７】
ホストコンピューター１２からラベル片（Ｌａ、Ｌｂ、Ｌｃ）三枚分の印字情報をデータ受信し、その内容をデータ解析し、台紙（Ｄ）にラベル片（Ｌａ、Ｌｂ、Ｌｃ）があるか否かを判断し、ある場合には、ラベル片（Ｌａ、Ｌｂ、Ｌｃ）上に所定のレイアウトで印字可能なように印字編集する。ついで三枚分のラベル片（Ｌａ、Ｌｂ、Ｌｃ）に印字を実行する。
【００３８】
当該ラベルシート（Ｌ）にラベル片（Ｌａ、Ｌｂ、Ｌｃ）が無い場合には（たとえば図２の（ｃ）のラベル片（Ｌｃ）がない場合）、ラベル印字部５にラベル片（Ｌａ）部分が移送されてきたときに、このラベル片（Ｌｃ）を含むラベルシート（Ｌ）一枚分のラベルシート連続体２の移送を行う（スキップする）とともに、つぎのラベルシート（Ｌ）にラベル片（Ｌａ、Ｌｂ、Ｌｃ）が全て揃っているかどうかを前記透過センサー８で検出し、ラベル抜けが無ければ前記印字部５への所定量（Ｘ）の移送を行い、印字処理を行う。
【００３９】
かくして、ラベルプリンター４０のラベル移送部４途中において台紙（Ｄ）からラベル片抜けがあっても、ラベル印字部５においては、そのラベル片抜けを含むラベルシート（Ｌ）には印字をすることなく、つぎのラベルシート（Ｌ）の先頭ラベル片（Ｌａ）から印字を行うことになる。
【００４０】
したがって、とくに印字抜けを事前に確認できるため、所定の印字内容の所望の組数のラベルシート（Ｌ）に印字ができるとともに印字を停止することがないため、迅速な処理を可能とする。
また、ラベル片抜けの無い所望の組数のラベルシート（Ｌ）を入手可能であるため、所望の数の被着体に１組単位である３枚のラベル片（Ｌａ、Ｌｂ、Ｌｃ）を貼付するときにラベル片の不足が発生しないため、効率的な作業を可能とする。
【図面の簡単な説明】
【００４１】
【図１】本発明の実施例によるラベルプリンター４０の透過センサー８及び反射センサー９の検出に基づくラベルシート連続体２の移送及び印字制御を説明するための図である。
【図２】本発明の実施例によるラベルプリンター４０の透過センサー８及び反射センサー９の検出に基づきラベル抜けを有するラベルシート連続体２の移送及び印字制御を説明するための図である。
【図３】同、ラベルプリンター１の制御回路ブロック図である。
【図４】同、ラベルプリンター１の概略側面図である。
【符号の説明】
【００４２】
１  ラベルプリンター（図４）
２  ラベルシート連続体
３  ラベル供給部
４  ラベル移送部
５  ラベル印字部
６  サーマルヘッド
７  プラテンローラー
８  透過センサー
９  反射センサー
１０  検出マーク  
１１  制御部
１２  ホストコンピューター
１３  インターフェース回路
１４  キーボード
１５  ＲＯＭ
１６  ＲＡＭ
１７  サーマルヘッド６駆動回路
１８  移送制御回路
１９  ピッチ検出回路
２１  制御部
４０  ラベルプリンター
Ｌ    種々のピッチを有する複数のラベル片（Ｌａ、Ｌｂ、Ｌｃ）から構成される一組単位のラベルシート（図１、図２）
Ｇ    台紙Ｄ上の互いのラベル片間（ＬａとＬｂ、ＬｂとＬｃ、ＬｃとＬａ）のわずかなギャップ（図１、図２）
ｃ−１  透過センサー８によるラベルシート連続体２の出力信号のレベル変化を示す図。（図１、図２）
ｃ−２  反射センサー９によるラベルシート連続体２の出力信号のレベル変化を示す図。（図１、図２）
Ｍ    モーター
【図１】
2005238750.tif 000003
【図２】
2005238750.tif 000004
【図３】
2005238750.tif 000005
【図４】
2005238750.tif 000006